【手続補正書】
【提出日】平成16年10月19日(2004.10.19)
【手続補正１】
【補正対象書類名】明細書
【補正対象項目名】特許請求の範囲
【補正方法】変更
【補正の内容】
【特許請求の範囲】
【請求項１】
虫の侵入若しくは発生による室内の汚染をモニタするための捕虫トラップであって、
透明なプラスチック基板と、
前記プラスチック基板の上面に設けられた捕虫用の透明な粘着剤層と、
前記プラスチック基板を保持するプラスチックハウジングとを備え、
前記粘着剤層に捕獲された虫を前記粘着剤層および前記プラスチック基板を通じて視認可能としたことを特徴とする捕虫トラップ。
【請求項２】
請求項１に記載の捕虫トラップであって、前記プラスチック基板には、前記粘着剤層上に捕獲された虫の数を計測するための計測用模様が設けられていることを特徴とする捕虫トラップ。
【請求項３】
請求項２に記載の捕虫トラップであって、前記計測用模様は、格子状の模様であることを特徴とする捕虫トラップ。
【請求項４】
請求項１、２又は３のいずれか１項に記載の捕虫トラップであって、前記プラスチックハウジング上には、「調査中」の文字が印刷されていることを特徴とする捕虫トラップ。
【請求項５】
請求項１、２、３又は４のいずれか１項に記載の捕虫トラップであって、さらにプラスチック剥離ライナーを前記粘着剤層上に設けたことを特徴とする捕虫トラップ。
【請求項６】
請求項１、２、３、４又は５のいずれか１項に記載の捕虫トラップであって、前記ハウジングの少なくとも一部が透明であり、かつ虫が進入可能な窓が設けられていることを特徴とする捕虫トラップ。
【手続補正２】
【補正対象書類名】明細書
【補正対象項目名】０００７
【補正方法】変更
【補正の内容】
【０００７】
すなわち、本発明にかかる捕虫トラップは、虫の侵入若しくは発生による室内の汚染をモニタするための捕虫トラップであって、透明なプラスチック基板と、プラスチック基板の上面に設けられた捕虫用の透明な粘着剤層と、プラスチック基板を保持するプラスチックハウジングとを備え、粘着剤層に捕獲された虫を粘着剤層およびプラスチック基板を通じて視認可能としたことを特徴とするものである。
また、本発明にかかる捕虫トラップの前記プラスチック基板には、前記粘着剤層上に捕獲された虫の数を計測するための計測用模様が設けられている。また、計測用模様は、格子状の模様である。また、前記プラスチックハウジング上には、「調査中」の文字が印刷されている。
【手続補正３】
【補正対象書類名】明細書
【補正対象項目名】００１０
【補正方法】変更
【補正の内容】
【００１０】
【発明の実施の形態】
本発明にかかる捕虫トラップを図１に示す。この捕虫トラップは、クリーンルームの床等に置かれるプラスチック基板（プラスチック製ベース基板）１と、プラスチック基板１の上面に設けられた捕虫用の粘着剤層２と、プラスチック基板１を保持するプラスチックハウジング３とを備える。プラスチック基板１の少なくとも一面側には適当な間隔の格子状の模様４が設けられている。
【手続補正４】
【補正対象書類名】明細書
【補正対象項目名】００１１
【補正方法】変更
【補正の内容】
【００１１】
ここで、前記プラスチック基板１、または前記プラスチックハウジング３を形成するプラスチックについては特に限定されないが、実質的にダストフリーの材料として公知の透明なプラスチックであればよい。静電気を帯びにくいプラスチック材料を選択することによりダスト等の発生がさらに抑制可能となる。また軽くて焼却時に有害物質が発生しにくいプラスチック材料を選択することも可能である。さらには、水ぬれにも強いものを選択することが好ましい。具体的には、ポリエチレン、ポリプロピレン、ポリスチレン、ポリエステル、ポリアミドが挙げられる。本発明においてはポリエステルの使用が好ましく、特にポリエチレンテレフタレート（ＰＥＴ）またはその類似の誘導体の使用が好ましい。前記ベースの大きさ、厚さについても特に制限はなく、使用の目的、すなわち、捕獲虫の種類、数、使用期間、使用場所等に応じて適宜選択することは容易である。クリーンルームにおいては通常、小昆虫である場合が多く、またその数も極めて少ないのが普通であり、従って長期間使用されることから、前記基板のサイズは、一片が約５〜２０ｃｍ程度の方形であることが好ましい。また、前記ベースの厚さも約０.５〜２ｍｍ程度であることが好ましい。前記プラスチック基板１およびプラスチックハウジング３はそれぞれ別に成形して組み立ててもよいし、１枚のプラスチック板から一体成形してもよい。かかる成形方法には特に制限はなく、通常公知の成形方法および成形装置が使用可能である。
【手続補正５】
【補正対象書類名】明細書
【補正対象項目名】００１２
【補正方法】変更
【補正の内容】
【００１２】
さらに、本発明で使用可能な粘着剤についても特に制限はなく、通常公知の小昆虫等（カブトムシ程度の大きさの虫を含む）の粘着剤トラップで用いられる粘着剤であって透明であれば使用が可能である。また、水にぬれたり、紫外線照射に対しても粘着性を維持することが好ましい。さらに、溶剤の揮発しにくいものの使用が好ましい。具体的には、天然ゴム、ブタジエン−スチレンコポリマーなどのゴムにロジン等の粘着付与物質を添加したゴム系粘着剤、あるいはアクリル酸ブチルなどのアクリル単量体の単独、または共重合体を主成分とするアクリル系粘着剤などが挙げられる。粘着剤層の厚さも特に制限はなく、捕獲虫の種類、数、使用期間、使用場所等に応じて適宜選択することは容易である。また、粘着剤層２を前記プラスチック基板１上に設ける方法、装置についても特に制限はなく、かかる分野で通常使用される方法、装置を使用することが可能である。
【手続補正６】
【補正対象書類名】明細書
【補正対象項目名】００１３
【補正方法】変更
【補正の内容】
【００１３】
また、前記プラスチック基板１には前記粘着剤層２で捕獲された虫の数を容易簡便に計測するための計測用格子線（計測等の模様）４が設けられているが、この格子線４の線幅、色、模様についても特に制限はない。捕獲虫の種類、大きさ、数に応じて最も簡便に計測できるように格子間隔を決めることは容易である。クリーンルームでは通常小昆虫がごく少量捕獲されることが多く、かかる場合、格子は０.５ｃｍ〜２ｃｍ程度であることが好ましい。また他の形状の模様であってもよい。格子線４の形成方法についても特に制限はなく、前記プラスチック基板１の上に、印刷等の手段で設けることは容易である。
【手続補正７】
【補正対象書類名】明細書
【補正対象項目名】００１４
【補正方法】変更
【補正の内容】
【００１４】
前記プラスチック基板１および粘着剤層２を保護する目的のプラスチックハウジング３についても特に制限はなく、通常公知の小昆虫等の粘着剤トラップで用いられるサイズ、形状のハウジングが適用可能である。具体的には、三角形状の屋根型で覆うようにして保護する形状のものや、四角箱形状で覆うような形状等が挙げられる。捕獲虫の性質、使用期間等を考慮して好ましい形状のものを適宜選択することは容易である。本発明のハウジングでは特に三角形であることが好ましい。材料の節約、強度の点、無視の入りやすさからである。また、外部から該粘着剤層２上の捕獲虫と、粘着剤層２の下のプラスチック基板１の格子４を視認できるように、プラスチックハウジング３の一部が透明である。かかる透明部分についても特に制限はなく、捕獲虫の大きさ、数等により、適当なサイズの透明部分を設けることは容易である。
【手続補正８】
【補正対象書類名】明細書
【補正対象項目名】００１５
【補正方法】変更
【補正の内容】
【００１５】
図１にはまた、本発明にかかる捕虫トラップの粘着剤層２上に設け、使用時に取り除くべくプラスチック剥離ライナー５も示されている。かかる目的で使用される剥離ライナー５については特に制限はなく、通常公知の粘着剤用の剥離ライナーであればよい。ダスト等の発生のない、静電気を帯びにくいものであり、焼却時には有害物質が出にくいものが好ましい。具体的にはシリコン系ライナーが特に好ましい。該剥離ライナー５をはがすことなく、プラスチックハウジング３を展開した状態で重ねて保存することが（図示せず）可能となる。
【手続補正９】
【補正対象書類名】明細書
【補正対象項目名】００１６
【補正方法】変更
【補正の内容】
【００１６】
図２には、粘着剤層２で捕獲された虫６を計測する例を示す。すなわち、本発明に係る捕虫トラップのプラスチック基板１および粘着剤層２は透明であるため、捕獲された虫６の有無、またはその数を容易に認識し計測することができる。すなわち、プラスチック基板１の裏側から観測した場合（図２(ａ））、容易にプラスチック基板１の格子線４と、粘着剤層２を通じて捕獲された虫６を同時に視認可能であり、容易に計測できる。また、場合により測定機械、顕微鏡等によりさらに詳細な観測も可能となる。また、虫が捕獲された側（プラスチックハウジング３の側）から観測した場合（図２(ｂ)）においても、粘着剤層２が透明であるため容易に格子線４を視認することができる。
【手続補正１０】
【補正対象書類名】明細書
【補正対象項目名】００１７
【補正方法】変更
【補正の内容】
【００１７】
図３には、本発明にかかるトラップの好ましい一実施態様を示す。前記プラスチックハウジング３が三角形状の屋根形であり、穴７がある形状を有する。なお、図には示していないが、プラスチックハウジング３は使用前には展開して平板状とすることができ、この場合、重ねて保存することができ好ましい。また使用時には容易に折り曲げることも可能である。さらに、三角形状にする際にプラスチックハウジング３のそれぞれの端を固定し屋根形状を保持するためには、ハウジング端を適用な形状にして相互に保持することが可能である。また、プラスチックハウジング３上には必要に応じて種々の情報（社名、「調査中」等の文字）を印刷することも可能である。
【手続補正１１】
【補正対象書類名】明細書
【補正対象項目名】００１８
【補正方法】変更
【補正の内容】
【００１８】
【発明の効果】
本発明にかかる捕虫トラップは、実質的にダストフリーのプラスチックで形成され、また実質的にダストフリーの粘着剤を用いることにより、高度なクリーンルーム内でもダストの発生を心配することなく長期間の使用が可能となり、さらに、透明なプラスチック基板上に透明な粘着剤層を設けることにより、粘着剤層上に捕獲された虫を粘着剤層およびプラスチック基板を通じて視認可能としたので、粘着剤層上に捕獲された虫の種類、数を容易に計測可能である。